(57)【要約】原画の画像データをコンピュータに画素単位で記録させ、記録されているコンピュータの前記画像データを、作成しようとするビーズ絵画の寸法と使用するビーズ玉の寸法を基準にして、予め設定したビーズ色数の減色画像データに画像処理する．この減色画像データを画像ピクセル単位の色番号に数値化し、数値化した減色画像データの色番号を原画に対応させた所定寸法の色番号配列表に表示する。表示された色番号の配置に基づいて、各々の色番号に対応する多数のビーズを画枠内に配列支持させることによりビーズピクチャーが完成する。画枠内に配列したビーズ群間の隙間に、常温又は加温で硬化する透明樹脂液を流し込み、ビーズ間の隙間の透明樹脂を表裏透明プレートの内面に一体硬化させてビーズ支持受け部に形成する。
2009096043.tif 000002
【特許請求の範囲】
【請求項１】
画素単位でコンピュータに記録された原画の画像データを、予め設定したビーズ色数に割り当てた減色画像データに画像ピクセル単位で数値化し、原画に対応させて画像表示した前記減色画像データーの数値化色番号配列表示に基づいて、対応する色の多数素材ビーズを画枠内に配列支持してなるビーズピクチャー
【請求項２】
複数のビーズが、軸方向に貫通孔を有する同形の数珠玉からなり、前記色番号配列表に対応する色番号の複数数珠玉を縦又は横のガイドロッドに数珠繋ぎに外嵌した複数のビーズ群ユニットに形成し、各々のビーズ群ユニットのガイドロッドを横列又は縦列に配列させて画枠材に支持させたことを特徴とする請求項１記載のビーズピクチャー
【請求項３】
ビーズを配列・支持したビーズピクチャーの表裏両面を透明プレートで挟持し、対称画面のピクチャーを両面から目視できるようにしたことを特徴とする請求項１又は２記載のビーズピクチャー
【請求項４】
透明プレートに配列したビーズ群間の隙間に、透明樹脂液を硬化させてなるビーズ支持受け部を、透明プレート面に一体形成したことを特徴とする請求項１、２又は３記載のビーズピクチャー
【請求項５】
原画の画像データをコンピュータに画素単位で記録させ、記録されているコンピュータの前記画像データを、作成しようとするビーズ絵画の寸法と使用するビーズ玉の寸法を基準にして、予め設定したビーズ色数の減色画像データに画像処理するとともに、この減色画像データを画像ピクセル単位の色番号に数値化し、数値化した減色画像データの色番号を原画に対応させた所定寸法の色番号配列表に表示し、表示された色番号の配置に基づいて、各々の色番号に対応する多数のビーズを画枠内に配列支持させることを特徴とするビーズピクチャーの制作方法
【請求項６】
画枠内に配設した裏側透明プレート面に前記ビーズ群を配列してビーズ画面を形成し、このビーズ画面上のビーズ間の間隙に、常温又は加温で硬化する透明樹脂液を流し込んで滞留させるとともに、その上面に表側透明プレートを重ね合わせ、前記ビーズ間の隙間に滞留させた透明樹脂を、前記表裏透明プレート面に一体に硬化させてビーズ支持受け部を形成することをさらに特徴とする請求項５記載のビーズピクチャーの制作方法
【発明の詳細な説明】
【技術分野】
【０００１】
本発明は、数万色に画像分解されている写真、デジタルカメラなどのカラー画像データを基準にして、限られた色数のビーズを素材として描いたビーズピクチャー及びその制作方法に関する。
【背景技術】
【０００２】
多数の色ビーズを素材（絵の具）として制作したピクチャー（絵画）は、ビーズが持つ装飾品としての華やかさや反射光などにより特有の美感を呈する。
色ビーズを使用して任意の模様のピクチャーを制作する技術として、複数の色彩からなる絵画を印刷して表面に添着性を付与させた透明フイルムに、各々の印刷色彩に合わせた色付き又は透明なビーズを貼着した絵板を、透明板で挟みこんで固定したステンドグラス調のビーズ額絵が日本国実用新案登録第３０７９２４８号公報に開示されている。
【発明の開示】
【発明が解決しようとする課題】
【０００３】
このように、カラー印刷面に、対応する色ビーズを配列して色彩パズルやステンドグラスを制作する技術が知られているが、カラー写真のような複雑な色彩画像に基づき、光学的手法を用いて色ビーズによる絵画を制作する試みは、出願人の知る限りでは未だ知られていない。
一般的な写真・絵画などの画像をパソコンなどのコンピュータに取り込んだ場合、その画像データは６万色以上に分解されて記憶保存されているのに対し、ビーズの色数には限界があり（現時点での既存のビーズ色数は１３０色程度）、また、直径２．５ｍｍ、巾２．５ｍｍ程度の微小な色ビーズを写真画像データに基づいてビーズピクチャーに仕上げることは事実上不可能である。
本発明の第１の目的は、実在する色数の範囲のビーズを素材とし、単純な手作業の繰り返しで写真等の画像を基準にした美麗なビーズピクチャーを提供することにある。
ところで、ピアノ線などのガイドロッドに多数のビーズを数珠繋ぎに支持させた多数のビーズユニットを用いて、例えば、３０号にも及ぶ大型のビーズピクチャーを制作しようとすると、ガイドロッドに支持させたビーズユニットが長くなるため、重みで配列がアンバランスになり、画面にたるみや歪みが生じ易い。
したがって、本発明の第２の目的は、絵の寸法（号）を大型にしても画面に歪みや乱れが生じないビーズピクチャーを提供することにある。
本発明の第３の目的は、上記のビーズピクチャーを制作する方法を提供することにある。
【課題を解決するための手段】
【０００４】
上記第１の目的を達成するために、本発明のビーズピクチャーは、画素単位でコンピュータに記録された原画の画像データを、予め設定したビーズ色数に割り当てた減色画像データにピクセル単位で数値化し、この減色画像データーの数値化色番号配列表示に基づいて、対応する色の素材ビーズを画枠内に配列支持させたことを特徴とする。
上記のビーズピクチャーは、好ましくは、軸方向に貫通孔を有する複数の同形ビーズを使用し、前記色番号配列表の符号に対応する色番号のビーズ群をピアノ線などのガイドロッドに数珠繋ぎに支持させたビーズ群ユニットに構成し、これら複数のビーズ群ユニットを画枠材内に横列又は縦列に配列させた構成にする。
また、本発明のビーズピクチャーは、好ましくは、ビーズを配列支持した絵画の表裏両面を透明なアクリル樹脂プレートなどの透明板で挟持し、同一ピクチャーを両側から対称的な絵画として目視できるようにしたことを特徴とする。
上記第２の目的を達成するために、本発明は、前記ビーズピクチャーにおいて、画枠内に裏側透明板を配設し、この裏側透明板面に配列したビーズ群間の隙間に、常温又は加温で硬化する透明樹脂液を流し込んで、その上面に表側透明板を重ね合わせ、表裏透明板間に流し込んだ前記透明樹脂の常温又は加温による硬化により、前記表裏透明板に一体結合したビーズ支持受けを形成したことを特徴とする。
上記第３の目的を達成するために、本発明のビーズピクチャー制作方法は、原画の画像データをコンピュータに画素単位で記録させ、記録されているコンピュータの前記画像データを、作成しようとするビーズ絵画の寸法と使用するビーズ玉の寸法を基準にして、予め設定したビーズ色数の減色画像データに画像処理するとともに、この減色画像データを画像ピクセル単位の色番号で数値化し、数値化した減色画像データの色番号を原画に対応させた所定寸法の色番号配列表に表示し、表示された色番号の配置に基づいて、各々の色番号に対応する多数のビーズを画枠内に配列・支持させることを特徴とする。
ビーズ群の配列は、好ましくは、前記色彩配列表に基づくビーズ群を、ピアノ線などの強靭なガイドロッドに数珠繋ぎに装着したビーズ群ユニットに構成して行う。
寸法の大きなビーズピクチャーを制作する場合は、好ましくは、画枠内に配設した裏側透明板面に前記多数のビーズを配列し、配列したビーズ画面上のビーズ間の間隙に常温又は加温で硬化する透明樹脂液を流し込んで、その上面に表側透明板を重ね合わせ、表裏透明板面に熱を加えて前記ビーズ隙間の樹脂を前記表裏透明板面に一体に付着・硬化させてビーズを担持させる。
【発明の効果】
【０００５】
本発明によれば、数万色からなるからカラー写真などの多彩な画像を題材にして、限られた色数のビーズを用いた簡単な手作業の繰り返しで、前記写真画像に光学的に対応した美麗なピクチャー（絵）が得られる。
表裏面を透明なアクリル樹脂プレートで挟持するビーズピクチャーのビーズ間の隙間に、常温又は加温で硬化する透明樹脂液を充填又は流し込んで、これを硬化させることにより、配列させたビーズ群は、表裏の透明アクリル樹脂プレートの内側に一体結合された硬化樹脂に支持され、ピクチャー面におけるビーズ面に歪み、たるみ、乱れ等が生じない。
【図面の簡単な説明】
【０００６】
図１は、原画である。
図２は、原画の画像データ部分拡大図である。
図３は、減色画像である。
図４は、減色画像データの色番号配列表部分拡大図である。
図５は、ビーズ拡大正面図である。
図６は、ビーズ拡大側面図である。
図７は、ビーズピクチャー部分拡大図である。
図８は、ビーズピクチャー表面図である。
図９は、ビーズ群ユニット部分拡大図である。
図１０は、図８のＡ−Ａ線部分拡大断面図である。
図１１は、ビーズピクチャー裏面図である。
図１２は、本発明の他の実施例によるビーズピクチャーの部分拡大横断面図である。
【符号の説明】
【０００７】
１  原画
２  画像データ
３  減色画像データ
４  数値化色番号
５  減色色番号配列表
６  画像ピクセル
７  ビーズ
８  円形軸体
９  貫通孔
１０  テーパー面
１１  絵画枠体
１２  ビーズピクチャー表面
１２´  ビーズピクチャー裏面
１３  支持ロッド
１４  ビーズ群ユニット
１５  透明プレート
１６  透明プレート
１７  スペーサー
１８  ビーズ支持受け部
【発明を実施するための最良の形態】
【０００８】
本発明は基本的に以下の（ａ）〜（ｆ）の行程からなる。
（ａ）写真・絵画などの原画の画像をスキャナー等でパソコンなどのコンピュータに取り込み、画像データを画素単位で記録する。
（ｂ）作成しようとするビーズピクチャーの寸法（大きさ）を定めて前記コンピュータに設定する。
（ｃ）前記ビーズピクチャーに使用する素材ビーズ玉の寸法を前記コンピュータに設定する。
（ｄ）前記のビーズピクチャーの寸法設定値と素材ビーズの寸法設定値を基準にして、前記コンピュータに記録してある原画の画像データを、予め設定した色数に割り当てて減色した減色画像データに置換える。
（ｅ）前記減色画像データを画像ピクセル単位で数値化してビーズ色数に対応する色番号配列表として表示する。
（ｆ）前記色番号配列表の配置にしたがって対応する色番号の多数のビーズを画枠内に支持させて目的のビーズピクチャー（絵画）完成させる。
以下、本発明の実施例を添付図面に基づいて説明する。
ビーズピクチャーの題材とする、図１の風物、絵等（この実施例では犬の顔写真）の原画画像１をパソコンなどのコンピュータに取り込むと、この画像データ２は、通常のコンピュータ画像処理により図２に示すように画素単位に分解されて記録されている。
一般に、絵画、風景等のカラー写真は、通常は６万色以上に分解されて記録されているので、この画素単位の色データに対応して限られた色数のビーズを配列することは不可能である。
そこで、本発明では、コンピューターに記録されている原画の画像データ２を、予め設定したビーズの色数に割り当てた図３の減色画像データ３に加工（減色画像処理）し、この減色画像データを数値化して画像ピクセル単位で保存する。
次いで、図４に示すように、画素単位に保存されている減色画像データ３の数値化色番号４群を、原画に対応した減色画像データの色番号配列表５としてモニター画面に画像表示し、必要に応じて紙面に印刷する。
コンピュータに記録されている原画の画像データ２を所望のビーズ色数に割り当てて図３の減色画像データ３に置換え、ピクセル単位で数値化してモニターに色番号配列表５として表示する処理は例えば、以下の行程で実施することができる。
（１）写真、デジタルカメラ画像、ダウンロード画像等をスキャナー、カードリーダ等でパソコン等のコンピュータ（以下、パソコンという）に取り込む。パソコンに取り込まれた画像データは数値化されてＢＭＰ（ビットマップ形式）で保存されている。
（２）次に、パソコンに取り込まれた画像データに基づいて、いかなる寸法のビーズを用いて、いかなる大きさのビーズ絵画を制作するかを決める。
例えば、縦２．５ｍｍ×横２．５ｍｍの素材ビーズを用いて、３０号（９１０ｍｍ×６５２ｍｍ）のビーズ絵画を制作する場合、使用するビーズ数は縦列が９１０÷２．５＝３６４個、横列が６５２÷２．５＝２６０個、合計９４，６４０個のビーズが使用されることになる。
（３）設定したサイズのビーズ絵画を制作するために、市販あるいは独自に作成した画像処理ソフトにより取り込んだ画像をピクセル単位（この実施例ではピクセルの数＝ビーズの数となる）で、縦３６４ピクセル（個）、横２６０ピクセル（個）に加工する。この時、必要に応じて画像の明るさ、コントラスト、色合い等を調整し、所望色数まで減色する。この場合、使用する減色パレットは固定にし、また、パレットは市販の２５６色パレット、マイクロソフト社の２５６色パレット、あるいは独自に作成したパレットを使用することができる。
減色された画像は最初に数値化されＢＭＰ（ビットマップ形式）で保存される。
（４）上記手法で構成されている減色画像のデータファイルは、２５６色のパレットを基準に作成されているので、実際に使用するビーズ色数が２５６色よりも少ない場合、例えば、１３０色に設定する場合は、さらに減色する必要から、同系色は設定範囲の色に合わせた色に眼で確認しながら置き換えて独自の１３０色パレットを作成する。
（５）前記のようにＢＭＰ形式で作成された画像データはすでに数値化されているため、前記２５６色のＢＭＰ画像ファイルをさらに前記１３０色パレットで減色した画像もＢＭＰ形式で保存する。この場合は、ＢＭＰの画像の数値抽出ソフトを使用してもよい。
（６）実際にＢＭＰファイルをパソコン上でデータとしてみると１ピクセル（個）のデータは桁数が多いと読み取りにくいので、その数値又は記号は２桁の１０進数に割り当てることにより読み取りやすくする。ここで変換されるファイルはＴＸテキストファイルとなるもので、この変換作業はテキスト置換えソフトを使用して行うことができる。
（７）完成したテキストファイルは必要に応じて見やすい大きさに加工して印刷する。また、印刷は必要に応じて複数枚に分けて印刷してもよい。
図５及び図６は、本発明のビーズピクチャーの素材として使用されるビーズ７の１例を示すもので、この実施例のビーズ７は、円形軸体８の軸心に貫通孔９を有し、円形軸体８の左右両側をテーパ面１０に面取りした数珠玉からなり、ちなみに、原寸は直径２．５ｍｍ、巾２．５ｍｍ、貫通孔９の径１．４ｍｍであり、現時点での数珠玉の色数は１３０色である。
図の実施例では、アルミニウムを素材とし、カラー塗料で着色したビーズーを使用しているが、ビーズ７の材質はこれに限らず、他の金属や合成樹脂を使用することも可能である。また、ビーズ７の形状、構造なども上記実施例に限るものではなく、円筒状、球状、その他ビーズであれば他のものも当然使用可能であり、本発明に包含される。
なお、ビーズ色数は今後さらに分化され、増色されることは当然予測される。
これらのビーズ７は各色に色分けしたパレットその他の容器に分けて収納されている。
本発明によるビーズピクチャーの制作手作業は、図７に示すように、パソコンなどのモニターに表示されている図４の色番号配列表５の画像、あるいはその印刷に表示された配列にしたがって各々の数値化色番号４に対応する色のビーズ７を、絵画枠体１１内に収まるように配設してゆくことによって行われる。
色番号配列表５の画像データは、写真原画画像データを基準にして減色画像処理により画像ピクセル単位で配列されているので、図１の写真原画１に基づいて減色画像処理された色番号配列表５の画像データの色番号配列順序にしたがって色ビーズ７群を枠体１１内に配列して支持させると、図８に示すように、原画１に対応して減色されたビーズピクチャー１２が完成する。
ビーズピクチャーの制作にあたっては、図４の色番号配列表５の横列又は縦列の配列順にしたがって、各々の色番号に対応するビーズケース（図は省略）から該当色ビーズ７を選び、絵画枠体１１内のプレートに配列してゆく。
実際の作業では、配列をし易くし、ビーズ７群を安定支持させるために、好ましくは、図９に示すように、色番号配列表５の各列に対応するビーズ７群を各ビーズ７の貫通孔９を介して共通の支持ロッド１３に外嵌して一連のビーズ群ユニット１４に形成し、このビーズ群ユニット１４を貫通している支持ロッド１３の両端を絵画枠体１１に係止して順次画面を形成してゆく。
支持ロッド１３はピアノ線などの鋼性のある細い線状棒を使用するのが望ましい。
色番号配列表５のすべての色番号４にしたがってビーズ７群が配列された後、透明アクリル樹脂板、ガラスなどの透明プレート１６で上面を支え、配列したビーズ７群を透明プレート１５と１６で挟んで絵画枠体１１に支持させることにより、図８及び図１０に示すビーズピクチャー１２が完成する。
なお、図１０は図８のビーズピクチャー１２の縦断面図であり、符号１７はスペーサーである。
配列したビーズ７群両面の下板（裏面板）となる前記透明プレート１５を前記透明プレート１６と同様に透明な透明アクリル樹脂板を使用することにより、一側面に図８のビーズピクチャー１２面が現れるとともに、他側面には図１１に示すように、前記ビーズピクチャー１２面とは対称のビーズピクチャー１２´が現れ、一つの絵を表裏両面から対称的に目視できるビーズピクチャーが得られる。
ところで、本発明の開発を進めるにあたって、ビーズピクチャーの寸法が大きくなると支持ロッドが長くなり、中央部の重みでピクチャー画面に歪みや乱れが生ずることに直面した。
この問題を解決するために、試験・研究を重ねた結果、以下の解決手段に到達した。
すなわち、絵画枠体内に水平に配設した裏側の透明アクリル樹脂の透明プレート１５に、多数のビーズ群ユニット１４を横列又は縦列に配置してビーズピクチャー画面を形成する。このビーズピクチャー画面には左右、前後の隣接ビーズ７間に隙間が生じているので、ビーズピクチャー面に常温又は加温で硬化する透明な樹脂液、好ましくは表裏透明プレート１５、１６と同等材質の透明アクリル樹脂、を散布すると、前記ビーズ７間の隙間に流れ込んで滞留する。
このようにして、ビーズ７間の隙間に前記透明樹脂を滞留させたビーズピクチャーの上面に、表側のアクリル透明プレート１６を重ね合わせ、表裏透明プレート１５、１６を圧接すると、ビーズ間の隙間やビーズ７に付着されている前記透明樹脂は、両面のアクリル透明プレート１５、１６に一体結合した状態で硬化し、ビーズ支持受け部１８が形成される。
この結果、各ビーズ７は隙間を介してアクリル透明プレート１５、１６に一体形成されたビーズ支持受け部１８に担持されて位置固定される。このため、支持ロッド１３にはビーズ７の重圧がかからなくなるのでビーズピクチャーに歪み、弛み、乱れなどの不都合が生じない。
【産業上の利用可能性】
【０００９】
任意のカラー写真・絵画などの画像に対応したビーズピクチャーを、数値化色番号配列表の案内に沿った単純な手作業の繰り返しで完成させることができ、装飾性・独創性に富んだ多彩なビーズピクチャーが得られる。
同一のビーズピクチャーを反復して制作でき、量産も可能であるから、創作的な装飾置物に限らず、ステンドガラス、窓ガラスなどの装飾的付加価値の高い建築材料として利用することもできる。
【図２】
2009096043.tif 000003
【図４】
2009096043.tif 000004
【図５】
2009096043.tif 000005
【図６】
2009096043.tif 000006
【図７】
2009096043.tif 000007
【図９】
2009096043.tif 000008
【図１０】
2009096043.tif 000009
【図１２】
2009096043.tif 000010
【図１】
2009096043.tif 000011
【図３】
2009096043.tif 000012
【図８】
2009096043.tif 000013
【図１１】
2009096043.tif 000014
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
画素単位でコンピュータに記録された原画の画像データを、予め設定したビーズ色数に割り当てた減色画像データに画像ピクセル単位で数値化し、原画に対応させて画像表示した前記減色画像データーの数値化色番号配列表示に基づいて、対応する色の多数素材ビーズを画枠内の透明プレートに配列支持させるとともに、前記透明プレートに配列したビーズ群間の隙間に、透明樹脂液を硬化させてなるビーズ支持受け部を、透明プレート面に一体形成したことを特徴とするビーズピクチャー
【請求項２】
複数のビーズが、軸方向に貫通孔を有する同形の数珠玉からなり、前記色番号配列表に対応する色番号の複数数珠玉を縦又は横のガイドロッドに数珠繋ぎに外嵌した複数のビーズ群ユニットに形成し、各々のビーズ群ユニットのガイドロッドを横列又は縦列に配列させて画枠材に支持させたことを特徴とする請求項１記載のビーズピクチャー
【請求項３】
ビーズを配列・支持したビーズピクチャーの表裏両面を透明プレートで挟持し、対称画面のピクチャーを両面から目視できるようにしたことを特徴とする請求項１又は２記載のビーズピクチャー
【請求項４】
（削除）
【請求項５】
（削除）
【請求項６】
原画の画像データをコンピュータに画素単位で記録させ、記録されているコンピュータの前記画像データを、作成しようとするビーズ絵画の寸法と使用するビーズ玉の寸法を基準にして、予め設定したビーズ色数の減色画像データに画像処理し、この減色画像データを画像ピクセル単位の色番号に数値化し、数値化した減色画像データの色番号を原画に対応させた所定寸法の色番号配列表に表示し、表示された色番号の配置に基づいて、各々の色番号に対応する多数のビーズを画枠内の裏側透明プレート面に配列してビーズ画面を形成し、このビーズ画面上のビーズ間の間隙に、常温又は加温で硬化する透明樹脂液を流し込んで滞留させるとともに、その上面に表側透明プレートを重ね合わせ、前記ビーズ間の隙間に滞留させた透明樹脂を、前記表裏透明プレート面に一体に硬化させてビーズ支持受け部を形成することを特徴とするビーズピクチャーの制作方法
【国際調査報告】
2009096043.tif 000015
2009096043.tif 000016